(57)【要約】  ディスプレイ装置（１００；２００；４００；５００；１４００）は、周辺光（１１０；２１０；５１０）のみを用いた反射モードおよび光源（１０５；２０５；５０５；１４０５）を用いた透過モードで、情報を表示することができることが示されている。一実施形態において、ディスプレイ装置（１００；１４００）は、光変調層（１０２；１４０２）と等方性光キャビティ（１０５；１０６；１４０５；１４０６）との間に配置される反射偏光子（１０４；１４０８）を具備している。光キャビティ（１０５；１０６；１４０５；１４０６）は、第１の偏光を有する入射光を反射する。反射偏光子（１０４；１４０８）は、少なくとも１つの偏光に関して、第１の程度の脱偏光より大きい第２の程度の脱偏光を有する光を反射する。ディスプレイ装置（２００；１４００）の別の実施形態において、微細構造フィルム（２０４；１４０４）は少なくとも傾斜面（２１１、２１２；１４１１、１４１２）を有する鋸歯構成（２０７；１４０７）を備えている場合に、微細構造フィルム（２０４；１４０４）は、光キャビティ（２０５、２０６；１４０５、１４０６）の上であり、光変調システム（２０１、２０２、２０３、２０８、１４０１、１４０２、１４０３、１４１５）の下に具備されている。デュアルモードディスプレイ装置（５００）の別の実施形態において、ディスプレイ（５００）は、光変調層（５０２）と光キャビティ（５０５、５０６）との間に配置されるコレステリック反射偏光子（５０４）を具備し、光キャビティ（５０５、５０６）は、反射時に偏光位相シフトを生じる。
2005509899.tif 000002
【特許請求の範囲】
【請求項１】
周辺光のみを用いた反射モードおよび光源を用いた透過モードにおいて、情報を表示することができるディスプレイ装置であって、
第１の偏光層と第２の偏光層との間に光変調層を備える光変調システムと、
光源および反射体を備える等方性光キャビティであって、前記光キャビティが光を前記光変調層に選択的に提供するようになっており、前記光キャビティが入射光の第１の程度の脱偏光を伴って入射光を反射し、前記反射体が周辺光を前記光変調層に反射して、前記反射モードにおいて周辺光のみを用いて前記ディスプレイを照明するように構成される前記光キャビティと、
前記光変調層と前記光キャビティとの間に配置され、第１の偏光を有する入射光の成分を透過し、第２の偏光を有する入射光の成分を反射するようになっている反射偏光子であって、前記第１の偏光の光を提供するために前記第１の程度の脱偏光より大きい第２の程度の脱偏光を伴って前記第２の偏光の光を反射する前記偏光子と、を具備するディスプレイ装置。
【請求項２】
前記反射偏光子が拡散反射偏光子である請求項１に記載のディスプレイ装置。
【請求項３】
前記ディスプレイ装置が、部分的に透過し、部分的に反射する半透過層を具備していない請求項１に記載のディスプレイ装置。
【請求項４】
前記光キャビティの前記反射体が平面ミラーである請求項１に記載のディスプレイ装置。
【請求項５】
前記平面ミラーが不透明な金属コーティングを備える請求項４に記載のディスプレイ装置。
【請求項６】
前記光キャビティの前記反射体が拡散ミラーである請求項１に記載のディスプレイ装置。
【請求項７】
前記拡散ミラーがテクスチャー加工された面を備える請求項６に記載のディスプレイ装置。
【請求項８】
前記拡散ミラーが、平面ミラー層および拡散層を備える請求項６に記載のディスプレイ装置。
【請求項９】
前記光キャビティの前記反射体が反射偏光子およびミラー層を備え、前記光キャビティの前記反射偏光子が少なくとも１つの反射および透過における偏光状態を実質的に維持する請求項１に記載のディスプレイ装置。
【請求項１０】
前記光キャビティの前記反射体が反射偏光子を備える拡散偏光ミラーを備え、前記光キャビティの前記反射偏光子が少なくとも１つの反射および透過における偏光状態を実質的に維持する請求項１に記載のディスプレイ装置。
【請求項１１】
前記光キャビティの前記反射体が最適な視角に対して反射伝搬方向におけるシフトを形成するビームステアリング層を備え、前記反射体が反射時に偏光を実質的に維持する請求項１に記載のディスプレイ装置。
【請求項１２】
前記ビームステアリング層が、水平から傾斜したミラー面を備える請求項１１に記載のディスプレイ装置。
【請求項１３】
前記光キャビティの上かつ、前記光変調システムの下に位置する第１の微細構造フィルムをさらに備え、前記第１の微細構造フィルムが鋸歯構成を備え、前記鋸歯構成がそれぞれ傾斜面を備え、周辺光が前記第１の微細構造フィルムに当たり、前記周辺光の入射エネルギーにおける第１の部分が第１の角度方向に屈折し、前記周辺光の入射エネルギーにおける第２の部分が前記第１の角度方向とは異なる第２の角度方向に屈折する請求項１に記載のディスプレイ装置。
【請求項１４】
前記鋸歯構成が、前記光変調システムに面する前記第１の微細構造フィルムの側にある請求項１３に記載のディスプレイ装置。
【請求項１５】
前記第１の微細構造フィルムが、前記光キャビティを出ていく視方向の範囲における光の明るさを増大するように構成される請求項１３に記載のディスプレイ装置。
【請求項１６】
前記ディスプレイ装置が、前記光源と前記光変調層との間に、部分的に透過し、部分的に反射する半透過層を具備していない請求項１３に記載のディスプレイ装置。
【請求項１７】
前記反射偏光子が前記第１の微細構造フィルムである請求項１３に記載のディスプレイ装置。
【請求項１８】
前記第１の微細構造フィルムが前記反射偏光子の上方にある請求項１３に記載のディスプレイ装置。
【請求項１９】
前記反射偏光子が前記第１の微細構造フィルムの上方にある請求項１３に記載のディスプレイ装置。
【請求項２０】
前記光源が、有機発光ダイオードを備える請求項１に記載のディスプレイ装置。
【請求項２１】
前記光源が、エッジ照明型光導波路の下の光を前記反射体に向けるように構成される前記エッジ照明型光導波路を備える請求項１に記載のディスプレイ装置。
【請求項２２】
周辺光のみを用いた反射モードおよび光源を用いた透過モードにおいて情報を表示することができるディスプレイ装置であって、
光変調層および第１の偏光層を備える光変調システムと、
光を前記光変調層に提供するための光キャビティと、
前記光キャビティの下に位置し、前記光キャビティから光を受光し、光を前記光変調層に向け、前記反射モードにおいて周辺光のみを用いて前記ディスプレイを照明するように配置される反射体と、
前記光キャビティの上かつ、前記光変調システムの下に位置する第１の微細構造フィルムと、を具備し、前記第１の微細構造フィルムが鋸歯構成を備え、前記鋸歯構成のそれぞれが傾斜面を含み、
周辺光が前記第１の微細構造フィルムに当たり、前記周辺光の入射エネルギーにおける第１の部分が第１の角度方向に屈折し、前記周辺光の入射エネルギーにおける第２の部分が前記第１の角度方向とは異なる第２の角度方向に屈折するディスプレイ装置。
【請求項２３】
前記鋸歯構成が、前記光変調システムに面する前記第１の微細構造フィルムの側にある請求項２２に記載のディスプレイ装置。
【請求項２４】
各鋸歯構成がプリズムを備える請求項２２に記載のディスプレイ装置。
【請求項２５】
前記第１の微細構造フィルムの下に配置された第２の微細構造フィルムをさらに備え、前記第２の微細構造フィルムが鋸歯構成を備え、各鋸歯構成が傾斜面を有するプリズムを備え、前記第１の微細構造フィルムの前記鋸歯構成が前記第２の微細構造フィルムの前記鋸歯構成に垂直であり、
前記第１の微細構造フィルムを通過した入射光が前記第２の微細構造フィルムに当たり、前記入射光の入射エネルギーにおける第１の部分が第３の角度方向に屈折し、前記入射光の入射エネルギーにおける第２の部分が前記第３の角度方向とは異なる第４の角度方向に屈折する請求項２４に記載のディスプレイ装置。
【請求項２６】
前記第１の微細構造フィルムが、前記光キャビティを出ていく視方向の範囲における光の明るさを増大させるように構成される請求項２２に記載のディスプレイ装置。
【請求項２７】
前記ディスプレイ装置が、前記光源と前記光変調層との間に、部分的に反射し、部分的に透過する半透過層を具備していない請求項２２に記載のディスプレイ装置。
【請求項２８】
前記第１の微細構造フィルムの前記鋸歯構成が、角錐構造を備える請求項２２に記載のディスプレイ装置。
【請求項２９】
前記角錐が、四角錐である請求項２８に記載のディスプレイ装置。
【請求項３０】
前記光キャビティの前記反射体が、平面ミラーである請求項２２に記載のディスプレイ装置。
【請求項３１】
前記平面ミラーが不透明な金属コーティングを備える請求項３０に記載のディスプレイ装置。
【請求項３２】
前記光キャビティの前記反射体が、拡散ミラーである請求項２２に記載のディスプレイ装置。
【請求項３３】
前記拡散ミラーがテクスチャー加工された面を備える請求項３２に記載のディスプレイ装置。
【請求項３４】
前記拡散ミラーが、平面ミラー層および拡散層を備える請求項３２に記載のディスプレイ装置。
【請求項３５】
前記光キャビティの前記反射体が反射偏光子およびミラー層を備え、前記反射偏光子が反射および透過のうちの少なくとも一方において偏光状態を実質的に維持する請求項３２に記載のディスプレイ装置。
【請求項３６】
前記光キャビティの前記反射体が反射偏光子を備える拡散偏光ミラーを備え、前記反射偏光子が反射および透過のうちの少なくとも一方において偏光状態を実質的に維持する請求項２２に記載のディスプレイ装置。
【請求項３７】
前記光キャビティの前記反射体が最適な視角に向かって反射伝搬方向においてシフトするビームステアリング層を備え、前記反射体が反射時に偏光を実質的に維持する請求項２２に記載のディスプレイ装置。
【請求項３８】
前記ビームステアリング層が、水平から傾斜したミラー面を備える請求項３７に記載のディスプレイ装置。
【請求項３９】
前記光キャビティが等方性であり、入射光の第１の程度の脱偏光を伴って入射光を反射し、前記反射体が周辺光を前記光変調層に向かって反射して、前記反射モードにおいて周辺光のみを用いて前記ディスプレイを照明するように構成され、
前記光変調層と前記光キャビティとの間に配置され、第１の偏光を有する入射光の成分を透過し、第２の偏光を有する入射光の成分を反射するようになっている反射偏光子であって、前記第１の偏光の光を提供するために前記第１の程度の脱偏光より大きい第２の程度の脱偏光を伴って前記第２の偏光の光を反射する前記偏光子をさらに備える請求項２２に記載のディスプレイ装置。
【請求項４０】
前記反射偏光子が拡散反射偏光子である請求項３９に記載のディスプレイ装置。
【請求項４１】
前記ディスプレイ装置が、部分的に反射し、部分的に透過する半透過層を具備していない請求項３９に記載のディスプレイ装置。
【請求項４２】
前記第１の微細構造フィルムが前記反射偏光子の上方にある請求項３９に記載のディスプレイ装置。
【請求項４３】
前記反射偏光子が前記第１の微細構造フィルムの上方にある請求項３９に記載のディスプレイ装置。
【請求項４４】
前記光源が、有機発光ダイオードを備える請求項２２に記載のディスプレイ装置。
【請求項４５】
前記光源が、エッジ照明型光導波路の下の光を前記反射体に向けるように構成されるエッジ照明型光導波路を備える請求項２２に記載のディスプレイ装置。
【請求項４６】
周辺光のみを用いた反射モードおよび光源を用いた透過モードにおいて、情報を表示することができるディスプレイ装置であって、
第１の偏光層と第２の偏光層との間に光変調層を備える光変調システムと、
光源および反射体を備える、光を前記光変調層に選択的に提供するようになっている光キャビティと、ここで前記反射体が周辺光を前記光変調層に反射して、前記反射モードにおいて周辺光のみを用いて前記ディスプレイを照明するように構成され、前記光キャビティの前記反射体が反射時に偏光位相シフトを生じ、
前記光変調層と前記光キャビティとの間に配置され、第１の偏光を有する入射光の成分を透過し、第２の偏光を有する入射光の成分を反射するようになされたコレステリック反射偏光子と、を具備するディスプレイ装置。
【請求項４７】
前記ディスプレイ装置が、前記光源と前記光変調層との間に、部分的に反射し、部分的に透過する半透過層を具備していない請求項４６に記載のディスプレイ装置。
【請求項４８】
前記光源が、有機発光ダイオードを備える請求項４６に記載のディスプレイ装置。
【請求項４９】
前記光源が、エッジ照明型光導波路の下の光を前記反射体に向けるように構成されるエッジ照明型光導波路を備える請求項４６に記載のディスプレイ装置。
【請求項５０】
前記光変調システムと前記コレステリック反射偏光子との間に配置される４分の１波長フィルムをさらに備える請求項４６に記載のディスプレイ装置。
【発明の詳細な説明】
【技術分野】
【０００１】
本発明は一般に、反射モードおよび透過モードの両方で情報を表示することができる光学デバイスに関する。
【背景技術】
【０００２】
携帯電話などのハンドヘルド型電子デバイスの多くは、像形成のために周辺照明またはバックライトの両方を用いて動作することができるディスプレイを具備している。このようなディスプレイは、透過モードおよび反射モードのいずれでも動作すると言われ、一般に半透過型（ｔｒａｎｓｆｌｅｃｔｉｖｅ）ディスプレイと呼ばれている。これらのディスプレイは、周辺光が利用可能であるときには周辺光を用い、必要である場合または利用者によって選択された場合にのみバックライトを用いる。バックライトへの依存性を小さくすることにより、電力消費を削減し、バッテリ寿命をより長くすることができる。
【０００３】
このような半透過型ディスプレイは、部分的またはパターン形成された金属ミラー、または適切な反射粒子を装着した透明ポリマーであってもよい半透過層を具備している。この半透過層は、反射モードでディスプレイを形成する際に用いるための周辺光を反射し、透過モードでディスプレイを形成する際に用いるためのバックライトからの光を透過するように設計される。半透過層は、２つの動作モード間の強度バランスを図っている。半透過体の透過特性がバックライト中または透過作動中の照明を改善するために増大する場合には、半透過層によって反射される周辺光が少ないため、反射モードまたは周辺光モード動作中にディスプレイの明るさが減少している。逆に言えば、半透過体の反射率を改善することにより、周辺光の明るさを増大させるが、バックライティング動作中の明るさを犠牲にする。
【発明の開示】
【０００４】
一実施形態において、ディスプレイ装置は、周辺光のみを用いた反射モードおよび光源を用いた透過モードで、情報を表示することができる。ディスプレイ装置は、反射偏光子と、反射体を有する等方性光キャビティと、を具備している。光キャビティは、入射光の第１の程度の脱偏光を伴なって入射光を反射する。光変調層と光キャビティとの間に配置される反射偏光子は、第１の偏光を有する入射光の成分を透過し、第２の偏光を有する入射光の成分を反射するようになされる。反射偏光子は、第１の程度の脱偏光より大きい第２の程度の脱偏光をもって第２の偏光の光を反射し、第１の偏光の一部の光を形成する。ディスプレイ装置は、半透過層を具備しないことが好ましい。一実施形態において、光キャビティは、反射において偏光状態を実質的に維持する。
【０００５】
本発明の第２の実施形態において、ディスプレイ装置は、光キャビティの上であり、光変調システムの下に位置する第１の微細構造フィルムを具備している。第１の微細構造フィルムは鋸歯構成を備え、鋸歯構成のそれぞれが傾斜面を備えている。周辺光が第１の微細構造フィルムに当たる場合には、周辺光の入射エネルギーにおける第１の部分が第１の角度方向に屈折し、周辺光の入射エネルギーにおける第２の部分が第１の角度方向とは異なる第２の角度方向に屈折する。このディスプレイは、周辺光のみを用いてまたは光源からの光のみを用いて作動することができる。ディスプレイ装置は、半透過層を具備していないことが好ましい。鋸歯構成は、プリズムまたは角錐形状を備えていてもよい。ディスプレイ装置の第３の実施形態において、第２の微細構造フィルムがディスプレイ装置に具備される。
【０００６】
本発明の第４の実施形態において、ディスプレイ装置は、光変調システムと、光変調層に光を選択的に提供するようになされた光キャビティと、コレステリック反射偏光子と、を具備している。光キャビティは、反射時に偏光位相シフトを生じるように構成される。コレステリック反射偏光子は、光変調層と光キャビティとの間に配置され、第１の偏光を有する入射光の成分を透過し、第２の偏光を有する入射光の成分を反射するようになされる。このディスプレイはまた、周辺光のみを用いてまたは光源からの光のみを用いて作動することができる。ディスプレイ装置は、半透過層を具備していないことが好ましい。
【０００７】
本発明は、添付図面と共に本発明のさまざまな実施形態に関する以下の詳細な説明を考慮すればさらに完全に理解されると思われる。
【０００８】
本発明はさまざまな修正形態および代替形態に基づいて吟味されるが、その仕様は図面によって示され、詳細に説明される。しかし、記載された特定の実施形態に本発明を限定するわけではないことを理解されたい。逆に言えば、添付特許請求の範囲によって定義されるように、本発明の精神および範囲を逸脱することなく、すべての修正物、等価物および代替物を網羅するものとする。
【発明を実施するための最良の形態】
【０００９】
本発明は、反射モードおよび透過モードで動作することができるディスプレイを有するさまざまな異なる光学デバイスに適用可能である。このデュアルモード動作は、半透過層を用いることなく実現されることができる。本発明はそのように限定されていないが、本発明のさまざまな態様の用途は、以下に提供される例の説明によって得られるであろう。
【００１０】
図１は、バックライトキャビティの上に半透過層を具備していないディスプレイ装置を示している。図１のディスプレイ装置１００は、第１の偏光子１０１および光変調層１０２の周囲の第２の偏光子１０３を具備している。補償または位相遅延フィルム１０８が、複屈折率の補正または光変調層に関する他の表示特性の改善のために具備されてもよい。ディスプレイ１００は、光を光変調層１０２に提供する光キャビティ１０５を具備している。一実施形態において、光キャビティ１０５は、等方性である。バックライトまたは光キャビティ１０５は、ディスプレイ照明のための面光源を提供するために、発光ダイオードまたは蛍光灯を用いたエッジ照明型導波路であってもよいが、それに限定されるわけではない光源を具備している。光源としてほかに考えられるものとしては、エレクトロルミネセントパネル、有機発光ダイオードまたは面型蛍光灯が挙げられる。「光キャビティ」なる語は、光を提供するキャビティを指す。光キャビティ１０５は、実質的に光学的に等方性であり、中を通過する光の偏光が実質的に変化しないことが好ましい。ディスプレイ１００はまた、光キャビティから光変調層に向かって光を向ける底部反射体１０６を具備している。底部反射体はまた、周辺光を反射して、光変調層に向ける。
【００１１】
別の考えうる光源としては、エッジ照明光導波路が挙げられ、反射体に対して一定の角度内にあるエッジ照明光導波路の下に光を向ける。この種の光源は、光変調層の上にあるディスプレイ装置で用いられることが多いため、フロントライトと呼ばれることがある。フロントライトは、画像分割層を提供するように構成されてもよい。本願明細書において以下に詳細に述べるように、この機能は、ピクセルのシャドーイング作用を低減するために有用である。
【００１２】
ディスプレイ１００は、反射偏光子１０４をさらに具備し、その透過軸に沿って第１の偏光状態を透過し、その反射軸に沿って第１および第２の偏光状態の脱偏光反射を形成する。入射偏光が反射偏光子１０４の透過軸に沿って配置される第１の偏光状態（Ｐ１）のみを備える場合には、Ｐ１光はごくわずかな脱偏光で実質的に透過される。用いることができる反射偏光子の一例としては、３Ｍによって作製されるＤＲＰＦが挙げられる。バックライト素子１０５、１０６は少なくとも１つの偏光状態に関してごくわずかな脱偏光であることが好ましい。
【００１３】
ここで、「偏光」および「脱偏光」なる語について説明する。「偏光」とは、光の秩序付けされた状態を指す。言い換えれば、光の偏光ビームに関して、電場ベクトルの向きは予測可能である。この向きは、電場ベクトルが振動の一定方向を維持しているか、または空間的に規則的な態様で変化するかを明確にする。向きは、直線偏光の場合のように、基準面に対して平行または垂直である振動であってもよく、または円偏光または楕円偏光の場合のように、光の伝搬方向を中心にして回転状態であってもよい。任意に定義された偏光状態に関して適切な検光子が構成され、１つの検光子の構成では光の入射偏光ビームが実質的に透過され、一方、垂直な検光子構成では光の入射偏光ビームが実質的に消光または遮断される。例では、直線偏光の入射ビームに関して高品質のダイクロイック直線偏光子の入射面を照射する。１つの構成において、ダイクロイック直線偏光子は、光の入射偏光ビームの大部分を透過し、光の進行方向を中心にした約９０°の回転により、光の入射偏光ビームの大部分を消光する。
【００１４】
偏光していない光または脱偏光光の状況に関して、結果として生じる電場ベクトルは、常に一定のままであるか、または振動が予測可能な向きを維持するとは限らない。その結果、検光子は、１つの構成では光の入射ビームが実質的に透過され、第２の構成では光の同一の入射ビームが実質的に消光されるように構成されることはできない。
【００１５】
ここで、周辺モードまたは反射モードにおけるディスプレイ１００の動作について説明する。ビューアと同一の側からディスプレイに入射する光線１１０は、偏光子１０１によって第一に偏光され、１つの偏光状態のみ、たとえばＰ１が偏光子１０１から出射する。次に、この偏光状態が、偏光子１０３によって実質的に遮断または通過するように層１０２によって変調される。この変調は、ピクセルを定義するパターン形成された電極に印加される電気信号の存在または光変調層１０２の個別のアパーチャによって行われる。たとえば、電気信号が印加される位置において、入射するＰ１光が光変調層１０２によって変調され、偏光状態（Ｐ２）として出射する。電気信号が光変調層１０２に印加されなかった位置では、入射するＰ１光が光変調層１０２を通過し、Ｐ１光として変化しない状態で出射する。既存の偏光状態に応じて、偏光層１０３の向きは、光エネルギーを吸収して、周辺の遮断状態を形成するか、または光エネルギーを透過して、周辺の明るい状態を形成するように作用にする。光が透過されるディスプレイの位置では、下部偏光子１０３を通過する光（たとえば、Ｐ１光）は、反射偏光子１０４を通過するように進む。反射偏光子１０４は、Ｐ１光などの少なくとも１つの偏光状態の光を、著しい脱偏光を生じることなく通過させることができることが好ましい。次に、光は、キャビティ１０５を通過して、脱偏光または他の損失をほとんど生じることなく、底部反射体１０６から反射される。底部層はある程度の脱偏光を有し、第１の程度の脱偏光と呼ばれる。第１の程度の脱偏光が最小限に抑えられ、光キャビティが反射において実質的に偏光を維持することが好ましい。反射時に、光は、ディスプレイ１００から戻り、周辺の明るい状態を形成する。光キャビティ１０５および底部反射体１０６がこのような少なくとも１つの偏光状態を維持する実質的に偏光である場合には、この動作モードにおいて出射する光強度は最大である。その結果、ディスプレイは、半透過層を必要とすることなく純粋に反射モードで動作することができることから、周辺の明るさが最適化される。
【００１６】
透過光をある程度散乱させるために、拡散層が反射偏光子に設けることによって視角を広くすることが好ましい。反射偏光子１０４は、３Ｍによって作製されるＤＲＰＦフィルムなどの分散位相反射偏光子であってもよい。さらに、適切な接着層が、図示されていないが、ディスプレイ１００に組込まれてもよい。たとえば、ディスプレイ１００の視角を広くするために、ある程度散乱させるために、偏光維持拡散体が、光路１１０に沿った任意の場所に配置されてもよい。
【００１７】
バックライティングまたは透過動作中、光線１１１は鏡面または拡散方向に光キャビティ１０５を出射する。光線１１１は一般に、偏光されていないため、第１の偏光状態Ｐ１および第２の偏光状態Ｐ２を備える。いずれの偏光状態も反射偏光子１０４に当たる。たとえば、１つの状態Ｐ１は脱偏光をほとんど生じることなく、反射偏光子１０４によって透過される。同一の偏光状態Ｐ１は、下部偏光子１０３を通過する。一部の偏光状態Ｐ１の光は光変調層１０２によって変調され、ある位置ではＰ２光となる。Ｐ２光が光変調層から出射する場合には、吸収偏光子１０１によって吸収され、ディスプレイのバックライトの暗い状態を形成する。別の位置では、Ｐ１光は光変調層１０２および吸収偏光子１０１を通過し、ディスプレイ上にバックライトの明るい状態を形成する。
【００１８】
偏光状態Ｐ２は、光キャビティ１０５から出射すると、反射偏光子１０４によって反射され、反射エネルギーの一部が両方の偏光状態Ｐ１、Ｐ２を備えるように脱偏光される。反射偏光子１０４が、ある程度の脱偏光を伴なって光を反射し、第２の程度の脱偏光と呼ばれる。光キャビティ１０５に再入射して、底部反射体１０６から反射されるとき、これらの２つの偏光状態は、実質的に維持されている。反射偏光子１０４への偏光状態Ｐ１、Ｐ２の反射により、偏光状態Ｐ１を反射偏光子１０４によって透過させ、反射偏光子１０４によって偏光状態Ｐ２の脱偏光された反射を行うことができる。この再循環は、偏光状態Ｐ２のすべてが偏光状態Ｐ１に変換されるまで、または吸収損失が有効レベル未満の偏光状態Ｐ２の強度に減少するまで続けられる。
【００１９】
１つの偏光状態の再循環は、少なくとも１つの偏光状態に関して少なくともある程度反射脱偏光を伴う反射偏光子を備えることによって実現される。底部反射体は反射時に第１の程度の脱偏光を有し、一方、反射偏光子は反射時に第２の程度の脱偏光を有する。第２の程度の脱偏光は、第１の程度の脱偏光より大きい。したがって、透過モードにおけるより明るいディスプレイを形成するために、１つの偏光状態の光が再循環される。
【００２０】
反射偏光子が反射において光キャビティのある程度の脱偏光より大きい程度の脱偏光を有するかどうかを決定する１つの方法は、２つの吸収偏光子を用いて、各構成要素の脱偏光の程度を個別に検査することである。第一に、光源は、第１の偏光状態の光を吸収し、第２の偏光状態の光を透過する第１の吸収偏光子を通るように光を向けるように配置される。第１の吸収偏光子から出射する第２の偏光状態の光は、検査対象の構成要素、反射偏光子または光キャビティのいずれかに向けられる。検査される構成要素から反射された光は、第１の偏光状態の光を吸収し、第２の偏光状態の光を透過する第２の吸収偏光子を通るように光を向ける。第２の吸収偏光子からの出力が明るければ明るいほど、検査される構成要素に生じる脱偏光が小さくなる。第２の吸収偏光子における出力の測定は、拡散反射および鏡面反射の両方を備えるように積分されるものとする。当業界で公知であるように、さまざまな入射照明位置および検出器の位置を用いることができる。検査装置の構成要素の適切な配置も重要である。
【００２１】
さまざまな異なる構成が、光キャビティ１０５および底部反射体１０６に関して可能である。本願明細書では、これらの代替物の一部が図示され、図５〜１１を参照して説明される。
【００２２】
図２は、微細構造フィルム２０４を備えているデュアルモードディスプレイ２００を示している。デュアルモードディスプレイ２００はまた、第１の偏光子２０１と、光変調層２０２と、第２の偏光子２０３と、を具備している。補償または位相遅延フィルム２０８が、複屈折率の補正または光変調層に関する他の表示特性の改善のために具備されてもよい。光キャビティ２０５および底部反射体２０６もまた、ディスプレイ２００に設けられる。反射体２０６は、周辺モードまたは反射モードの両方でディスプレイを形成するために、光変調層２０２に光を向けるために用いられる。したがって、ディスプレイ２００は半透過層を必要とせず、ディスプレイ２００に半透過層を具備しないことが好ましい。
【００２３】
微細構造層２０４を備えることにより、ピクセルのシャドーイング作用を低減する。ディスプレイ装置が使用中であるとき、光変調層は、対応されるピクセルまたは暗い状態のピクセルのパターンを形成する。周辺光ディスプレイモードでは、このパターンは反射体からビューアに向かって反射され、反射されたパターンが光変調層によって作製されたパターンの上に重ねられる。パターンの反射がパターン自体からわずかに横方向にずれている場合には、これら２つのパターンが重ねられるとき、より明るい第２の画像が現れることがある。ピクセル面または光変調層から反射体までの距離によって、横方向の移動が生じる場合がある。光変調層と反射体との距離が大きければ大きいほど、ピクセルのシャドーイング作用も大きくなる可能性が高い。したがって、図２に示されているように、反射体がディスプレイの底部にある場合には、従来の半透過型ディスプレイのように、反射体または半透過体が光キャビティの上にある場合より、ピクセルのシャドーイングが問題となる。
【００２４】
図３は、微細構造フィルム２０４の斜視図である。微細構造フィルム２０４は、鋸歯構成２０７を備え、各鋸歯構成２０７が第１の傾斜面２１１および第２の傾斜面２１２を含んでいる。図示の実施形態では、鋸歯構成はプリズム形状である。周辺光が微細構造フィルム２０４に当たるとき、周辺光の入射エネルギーにおける第１の部分が第１の傾斜面２１１に当たり、第１の角度方向に屈折する。同様に、周辺光の入射エネルギーにおける第２の部分は微細構造フィルムの第２の傾斜面２１２に当たり、第１の角度方向とは異なる第２の角度方向に屈折する。周辺光は２つの異なる経路をとるため、任意のピクセルのシャドーイング作用が一部の部分で低減される。たとえば、微細構造フィルムが図２の断面図に示したように、等しい割合で２つのタイプの異なる傾斜面を含んでいる場合には、周辺光の第１の半分は第１の角度方向に屈折し、周辺光の第２の半分は第２の角度方向に屈折する。結果として、任意のピクセルのシャドーイング作用は、約２分の１に低減される。
【００２５】
また、図４に示されているように、ディスプレイ４００に第２の微細構造フィルム４０４を備えることも可能である。尚、第２の微細構造フィルム４０４は、第１の微細構造フィルム２０４と同一である。図３に示されている実施形態において、微細構造フィルム２０４は、側面２１３と、側面２１３に対して垂直である側面２１４と、を有する。図２および図４において、第１の微細構造フィルム２０４の断面図は、側面２１３に対して平行にとられており、鋸歯構成が断面図において見ることができるようになっている。図４において、第２の微細構造フィルム４０４の断面図は、傾斜面に平行にとられているため、鋸歯構成を断面図では見ることができない。図４の第２の微細構造フィルム４０４は、第１の微細構造フィルム２０４の鋸歯構成２０７に垂直に延びる鋸歯構成（図４で見ることはできない）を含んでいる。図４は、図２と同一の構成要素を備える。交差した微細構造フィルム２０４、４０４の結果として、任意のピクセルのシャドーイング作用がさらに低減される。第１の微細構造フィルムを通過した光が第２の微細構造フィルムに当たるとき、入射エネルギーの第１の部分は第３の角度方向に屈折し、入射エネルギーの第２の部分は第３の角度方向とは異なる第４の角度方向に屈折する。したがって、第１の微細構造フィルムが等しい割合の２つのタイプの傾斜面を含み、第２の微細構造フィルムも等しい割合の２つのタイプの傾斜面を含んでいる場合には、ピクセルのシャドーイング作用が約４倍低減される。
【００２６】
微細構造フィルム２０４は、光キャビティから視角に向かって小さい角度の光を向けるために回転レンズとしても機能する下を指している構成２０７を有するように反転されてもよい。微細構造フィルム２０４は、鋸歯構成に隣接して、空気などの低屈折率の界面材料を備えていてもよい。
【００２７】
図１３は、微細構造フィルム２０４の代わりに、ディスプレイ装置の一実施形態に含まれてもよい異なる微細構造フィルム１３００の斜視図である。微細構造フィルム１３００は、四角錐である鋸歯構成１３０２を備える。各構成１３０２は、４つの異なる角度方向に入射光を屈折する４つの傾斜面を備える。周辺光は、微細構造フィルム１３００において角錐の４つの傾斜面のうちの１つに当たり、４つの角度方向のうちの１つの方向に屈折する。入射光は反射体まで多くの異なる経路をとることから、ピクセルのシャドーイングが低減される。図１３に示された例において、４つの側面は等しい面積を有する。その結果、この例の場合には任意のピクセルのシャドーイング作用は、４倍低減される。
【００２８】
図１４は、微細構造フィルム１４０４および反射偏光子１４０８の両方を備える本発明のディスプレイ装置１４００の別の実施形態を示している。このディスプレイ装置はまた、第１の偏光子１４０１と、光変調層１４０２と、第２の偏光子１４０３と、光キャビティ１４０５と、底部反射体１４０６と、を具備している。補償または位相遅延フィルム１４１５が、複屈折率の補正または光変調層に関する他の表示特性の改善のために具備されてもよい。
【００２９】
図２および図３に関連して上述したように、ディスプレイ装置に微細構造フィルムを備えることにより、ピクセルのシャドーイング作用の低減を生じる。図１に関連して上述したように、反射偏光子１４０８を備えることにより、光の再循環およびより明るいディスプレイを生じる。底部反射体１４０６は第１の程度の脱偏光で光を反射し、反射偏光子１４０８は第２の程度の脱偏光で光を反射する。第２の程度の脱偏光は、少なくとも１つの偏光状態に関して第１の程度の脱偏光より大きい。微細構造フィルム１４０４は、第１の傾斜面１４１１および第２の傾斜面１４１２を備える鋸歯構成１４０７を備えている。鋸歯構成は、図３に示されたようなプリズムであってもよい。別の実施形態としては、図４の構成と同様に、第２の微細構造フィルムをディスプレイ装置１４００に備えたものが考えられる。
【００３０】
図１４において、微細構造フィルム１４０４および反射偏光子１４０８が、反射偏光子の上部に微細構造フィルム１４０４を備え、互いから離隔するように配置されている。尚、微細構造フィルム１４０４の鋸歯構成１４０７は光変調層１４０２に面している。微細構造フィルムおよび反射偏光子は、ディスプレイ装置内部で多くの異なる態様に配置され、ピクセルのシャドーイングの低減および光の再循環を依然として実現することができる。微細構造フィルムおよび反射偏光子に関する他の構成の例が数例、図１５〜図１８に示されている。図１５〜図１８の構成は、微細構造フィルム１４０４および反射偏光子１４０７の代わりに、図１４のディスプレイ装置１４００内部に用いることも可能である。
【００３１】
図１５に示されているように、反射偏光子１５０８は、微細構造フィルム１５０４の上に配置されてもよく、鋸歯構成１５０７がディスプレイ装置１４００の光変調層１４０２に面する。図１６に示されているように、微細構造フィルム１６０４は反射偏光子１６０８と結合されてもよく、微細構造フィルム１６０４の鋸歯構成１６０７がディスプレイ装置１４００の光変調層１４０２に面する。
【００３２】
また、鋸歯構成が光変調層とは反対側に面し、依然としてピクセルのシャドーイング作用の低減を実現するように、微細構造フィルムを配置することも可能である。図１７に示されているように、反射偏光子１７０８が、微細構造フィルム１７０４の上に配置されてもよく、鋸歯構成１７０７がディスプレイ装置１４００の光変調層１４０２とは反対側に面する。各鋸歯構成１７０７は、第１の傾斜面１７１１および第２の傾斜面１７１２を備える。この構成において周辺光が微細構造フィルム１７０４を通過するとき、周辺光の入射エネルギーにおける第１の部分が第１の傾斜面１７１１に当たり、第１の角度方向に屈折する。周辺光の入射エネルギーにおける第２の部分が第２の傾斜面１７１２に当たり、第２の角度方向に屈折する。周辺光は２つの異なる経路をとるため、周辺光が一部の部分で低減される。微細構造フィルムが図１７に示したように、等しい割合で２つのタイプの傾斜面を含んでいる場合には、ピクセルのシャドーイング作用は、２分の１に低減される。
【００３３】
図１８に示されているように、微細構造フィルム１８０７は、反射偏光子１８０８と結合されてもよく、微細構造フィルム１８０７の鋸歯構成１８０７が光変調層１４０２とは反対側に面するように配置される。この構成は、ディスプレイ装置１４００のようなディスプレイ装置に配置される場合には、図１７の構造物と同様にピクセルのシャドーイングの低減を実現する。
【００３４】
図（１５および図１７）のディスプレイ装置の２つの構成要素の間に、間隙が示されている場合には、一般に、２つの構成要素の間に空隙が存在する。ディスプレイ装置と相互に作用する光が空隙を認識するために、わずか数ミクロンの間隙で十分である。この空隙は、当業界で公知のさまざまな異なる態様で実現されることができる。たとえば、スペーサ素子を用いてもよい。２つの構成要素の面の滑らかさを小さくするために、艶消し層を用いてもよい。構成要素の１つが、図１５の場合のような別の素子の平面に隣接して積層されることになっている微細構造フィルムである場合には、微細構造素子は、微細構造素子と隣接する構成要素との間に光学的に十分な空隙を取ることができるように、先端のすべてが同一の高さでなくてもよいように構成することも可能である。
【００３５】
図１６および図１８に示されている構造において、微細構造フィルム１６０４、１８０４と反射偏光子１６０８、１８０８との間に空隙を有する必要はない。２つの素子を接合または共に結合することができる。また、基板として反射偏光子を用いて、反射偏光子上に直接、微細構造素子を形成することも可能である。
【００３６】
また、微細構造フィルムの代わりに、図１４〜図１８の構造に含まれるように角錐形状の微細構造フィルム１３００を具備することも可能である。別の実施形態としては、図４の構成と同様に、第２の微細構造フィルムを図１４〜図１８のそれぞれに備えたものが考えられる。
【００３７】
図５は、透過モードおよび反射モードで作動することができるディスプレイ装置を示している。図５のディスプレイ５００は、コレステリック反射偏光子５０４を具備している。ディスプレイ５００はまた、第１の偏光子５０１と、光変調層５０２と、第２の偏光子５０３と、を具備し、第１の偏光子５０１および第２の偏光子５０３が光変調層５０２を包囲している。補償または位相遅延フィルム５０８が、複屈折率の補正または光変調層に関する他の表示特性の改善のために具備されてもよい。ディスプレイ５００はまた、光キャビティ５０５および底部反射体５０６を具備している。ディスプレイは、コレステリック反射偏光子５０４と第２の偏光子５０３との間に４分の１波長フィルム５０７をさらに具備している。
【００３８】
透過モードにおいて、光キャビティ５０５からの光線５１１が、コレステリック反射偏光子５０４によって円偏光される。たとえば、右円偏光（ＲＨ）光が透過され、左円偏光（ＬＨ）光が反射される。透過光の場合には、４分の１波長フィルム５０７が底部偏光子５０３によってＲＨ光入力から直線偏光状態を構成する。コレステリック反射偏光子から反射されるＬＨ光の場合には、底部反射体５０６からの反射時の位相シフトが望ましい。底部反射体５０６が反射時に位相シフトを生じるように構成される。この位相シフトは、コレステリック反射偏光子５０４による透過の場合に、ＬＨ光をＲＨ光に変換する。高い反射率および位相シフト特性を形成する底部反射体５０６に関する適切な反射体材料としては、銀およびアルミニウムなどの金属、または有機発光ダイオードに一般に見られる不透明な電極金属が挙げられる。
【００３９】
ディスプレイ５００がディスプレイを透過する周辺光を用いて照明される反射モードにおいて、入射光５１０がコレステリック反射偏光子５０４によって光キャビティ５０５に透過される。光を出射するために、２つの位相シフトが必要である。たとえば、コレステリック反射偏光子５０４によって透過されるＲＨ光は、底部反射体５０６からの反射によってＬＨ光となる。次に、ＬＨは、コレステリック反射偏光子５０４によって反射され、底部反射体５０６に戻される。底部反射体５０６からの第２の反射によって、ＬＨ光はＲＨ光に戻るように変換され、最後にコレステリック反射偏光子５０４によって透過される。この複数回の跳ね返り状態により、横方向のピクセルのシャドーイング分離を強化することができる。ディスプレイ５００は、半透過層を備える必要がなく、周辺光または光源からの光を用いて、ディスプレイを形成する。有機発光ダイオードなどの厚みを薄くしたバックライト、適切な拡散層および／または適切な微細構造層をディスプレイ５００に備えることは有利であると考えられる。
【００４０】
ディスプレイ５００は、光源としてフロントライトを備えていてもよく、エッジ照明型光導波路が光を表示円錐において反射体に向かって下方に向けるように構成される。このフロントライトは、図２および図４の微細構造フィルム２０４と同様に、画像分割機能を提供するように構成されてもよく、それによってピクセルのシャドーイング作用を低減する。
【００４１】
コレステリック反射偏光子も備える別のディスプレイにおいて、４分の１波長フィルム５０７を省略することが可能であり、代わりに、コレステリック反射偏光子層５０４が４分の１波長フィルムの性能を提供するコーティングを備えることも可能である。
【００４２】
図６〜図１２は、本願明細書に記載したディスプレイ装置用の底部反射体の構成を示している。図６〜図１２に示された構造は、ディスプレイ１００用の底部反射体１０６、図２のディスプレイ２００または図４のディスプレイの底部反射体２０６または図１４の底部反射体１４０６に用いることが可能である。
【００４３】
図６は、鏡面反射を形成する平面ミラー６００を示している。平面ミラー６００は、適切な基板上の不透明なアルミニウムまたは銀のコーティング、または多層ポリマーミラーであってもよいが、それらに限定されるわけではないミラー層６０１を備える。保護層（図示せず）が、環境的性能または物理的性能を改善するために、ミラー面に塗布されてもよい。
【００４４】
図７は、ミラー層７０１のための制御した拡散反射を形成するために、テクスチャー加工された面７０２を備えた拡散ミラー７００を示している。ミラー層７０１はまた、適切な基板上の不透明なアルミニウムまたは銀のコーティング、または多層ポリマーミラーであってもよいが、それらに限定されるわけではない。拡散ミラー７００の断層図は、反射時に少なくとも１つの偏光状態を実質的に維持するように構成される。
【００４５】
図８は、ミラー層８０１および拡散層８０２を備える拡散ミラー８００の断面図を示している。ミラー層８０１は、図６および図７に関して説明したタイプであってもよい。拡散層８０２は、粒子を装着したコーティングであってもよいが、それに限定されるわけではない。少なくとも１つの偏光状態を実質的に維持し、所望の拡散を提供するために、粒子サイズ、形状、屈折率、断層図およびコーティングの厚さなどのコーティングの変数をすべて調節することができる。
【００４６】
図９は、ミラー層９０１および反射偏光子９０２を備えた偏光ミラー９００を示している。反射偏光子９０２は、反射または透過のいずれかまたはその両方において、実質的に偏光状態を維持するものとする。層９０２に関する適切な例としては、多層分散位相反射偏光子またはコレステリック反射偏光子が挙げられるが、それらに限定されるわけではない。ミラー層９０１としては、金属コーティング、積層金属フィルム、積層ポリマー多層ミラーまたは交差反射偏光子のいずれかが可能である。適切な接着層は、図示されていないが、分散層に共に接合されるように組込まれてもよい。偏光反射を形成するように反射偏光子層９０２を向けることができるが、ミラー層９０１は反射における偏光を維持する必要はない。
【００４７】
たとえば、Ｐ１偏光を有する光が偏光ミラー９００に垂直入射する場合およびミラー層９０１が反射時に実質的に偏光を維持しない場合には、ミラー層９０１はＰ１偏光およびＰ２偏光の両方の光を反射する。偏光ミラー９００が全体として偏光を維持するように、反射偏光子９０２は、Ｐ１偏光の光のみを出射することができるように構成されてもよい。
【００４８】
図１０は、ミラー層１００１と、拡散層１００２と、反射偏光子１００３と、を組込んだ拡散偏光ミラー１０００を示している。反射偏光子１００３は、図９に関連して説明した反射偏光子９０２と類似である。拡散層１００２は、反射偏光子１００３の構造の一面に組込まれてもよく、または分離積層拡散層または拡散接着剤であってもよい。ミラー層１００１は、図６および図７に関連して説明したミラー層と類似であってもよい。適切な接着層は、図示されていないが、分散層に共に接合されるように用いられてもよい。反射偏光子１００３が偏光反射を形成するように配置されることができるため、拡散層１００２およびミラー層１００１は偏光を維持する必要はない。図１０に示された拡散偏光ミラー１０００は、散乱体の軸を分離することができる。さらなる拡散層を反射偏光子層１００３の上の拡散偏光ミラー１０００に追加することも可能である。拡散偏光ミラー１０００の適切な例としては、拡散側が金属コーティングで覆われた３Ｍによって作製されたＤＢＥＦ−Ｍフィルムが挙げられる。
【００４９】
図１１は、拡散層１１０１および反射偏光子１１０２を組込んだ別の拡散反射偏光子１１００を示している。反射偏光子１１０２は、図９に関連して説明したタイプであってもよい。拡散層１１０１は、接着剤が示されていないが、マイクロボイド形成フィルムからなる分離積層フィルムであってもよいが、それに限定されるわけではない。
【００５０】
マイクロボイド形成フィルムは、微孔フィルムとも呼ばれ、拡散反射を形成するために拡散反射偏光子１１００に備えられてもよい。マイクロボイド形成フィルムは、全体にわたって離隔されたきわめて小さいボイド領域を有するポリマーフィルムである。熱誘導相分離技術を用いて、マイクロボイド形成フィルムを作製することができる。マイクロボイド形成フィルムを作製するために、半結晶質ポリマーおよび溶媒または希釈剤が用いられる。ポリマーおよび希釈剤は、低温で不相溶であるが、より高温では溶液を形成する。ポリマーおよび希釈剤は、加熱され、均質な溶液を形成するまで押出機で共に混合される。次に、この溶液がシートを形成し、冷却される。冷却または急冷工程中、ポリマーは溶液から結晶化してポリマータイフィブリルによって連結された微視的な結晶性の球晶となる。微細構造物のサイズは、さまざまな技術によって操作されることができる。ポリマーが凝固した後、希釈剤を抽出して、フィルムを光の波長のサイズ程度の微細構造物のサイズに適合させるように延伸することによって、２相フィルムを多孔性になすことができ、それによって、単位厚さ当たり、きわめて効率的な反射体にすることができる。
【００５１】
ディスプレイ装置に用いられることが多い１つのマイクロボイド形成フィルムは、ＢａＳＯ4を装着したポリエチレンテレフタレート（ＰＥＴ）であり、約９５％の反射率を有し、厚さ約９ミルである。より好ましくは、反射率が９９％を超えることができるマイクロボイドを形成したＴｉＯ2装着ＰＥＴフィルムを用いる。拡散層１１０１は、反射偏光子層１１０２の一面に直接、組込まれてもよい。拡散反射偏光子１１００の適切な例としては、マイクロボイド形成フィルムに積層された３Ｍによって作製されたＤＢＥＦフィルムであろう。
【００５２】
図１２は、ブレーズ（ｂｌａｚｅｄ）ミラー反射体１２００を示している。まばゆいミラー層１２０１は、傾斜ミラーまたは拡散構造物またはホログラフィック構造物を備えていてもよいが、それらに限定されるわけではない。まばゆいミラー反射体１２００は、反射時に偏光を維持することが理想的であるが、ビームステアリング用途において用いるために、反射伝搬方向において角度シフトを形成する。
【００５３】
特定のバックライト設計に応じて、完全鏡面反射体またはある程度の拡散反射によって、一様性および明るさを最適化することが望ましいと考えられる。偏光維持の少なくとも１つの軸を維持することにより、この特徴を必要とするディスプレイ装置用の実質的に偏光を維持するバックライトキャビティを有する必要性を満たす。拡散軸は、光導波路のアパーチャを満たすために有用である。実質的な偏光維持軸の拡散外形を制御することにより、周辺の反射の明るさを最大限にするために役立つ。バックライトにおける拡散は、ディスプレイの視角を広くするために望ましい。しかし、明るいディスプレイを有するために、ランベルト反射に比べて、反射におけるゲインを有することも望ましい。ランベルト反射は、すべての方向において等しい強度の光を反射するため、すべての方向から等しく明るく見えると仮定される。十分に広い視角を有し、十分に明るいディスプレイを提供するために、ゲインおよび拡散の関係のバランスをとらなければならない。バックライト反射体に対するわずかな拡散も、画像面から画像反射体の移動のために、視差およびピクセルのシャドーイングを最小限に抑えるために有用である場合がある。
【００５４】
上述の詳説、例およびデータにより、本発明の製造および構成の利用に関する完全な説明を提供する。本発明のさまざまな実施形態は本発明の精神及び範囲を逸脱することなく形成されるため、本発明は以後に添付された特許請求の範囲に属している。
【図面の簡単な説明】
【００５５】
【図１】本発明の一実施形態による例示のディスプレイ装置の断面図を示している。
【図２】本発明の別の実施形態による例示のディスプレイ装置の断面図を示している。
【図３】本発明の一実施形態による微細構造フィルムの斜視図を示している。
【図４】本発明のさらに別の実施形態による例示のディスプレイ装置の断面図を示している。
【図５】本発明の別の実施形態による例示のディスプレイ装置の断面図を示している。
【図６】本発明のさまざまな実施形態によるディスプレイ装置の底部反射体に利用することが可能な構造物を示している。
【図７】本発明のさまざまな実施形態によるディスプレイ装置の底部反射体に利用することが可能な構造物を示している。
【図８】本発明のさまざまな実施形態によるディスプレイ装置の底部反射体に利用することが可能な構造物を示している。
【図９】本発明のさまざまな実施形態によるディスプレイ装置の底部反射体に利用することが可能な構造物を示している。
【図１０】本発明のさまざまな実施形態によるディスプレイ装置の底部反射体に利用することが可能な構造物を示している。
【図１１】本発明のさまざまな実施形態によるディスプレイ装置の底部反射体に利用することが可能な構造物を示している。
【図１２】本発明のさまざまな実施形態によるディスプレイ装置の底部反射体に利用することが可能な構造物を示している。
【図１３】本発明の微細構造フィルムの一実施形態の斜視図を示している。
【図１４】本発明によるディスプレイ装置のさらに別の実施形態を示している。
【図１５】本発明のさらなる実施形態による図１４のディスプレイ装置に用いることができる反射偏光子および微細構造フィルムの構成を示している。
【図１６】本発明のさらなる実施形態による図１４のディスプレイ装置に用いることができる反射偏光子および微細構造フィルムの構成を示している。
【図１７】本発明のさらなる実施形態による図１４のディスプレイ装置に用いることができる反射偏光子および微細構造フィルムの構成を示している。
【図１８】本発明のさらなる実施形態による図１４のディスプレイ装置に用いることができる反射偏光子および微細構造フィルムの構成を示している。
【図１】
2005509899.tif 000003
【図２】
2005509899.tif 000004
【図３】
2005509899.tif 000005
【図４】
2005509899.tif 000006
【図５】
2005509899.tif 000007
【図６】
2005509899.tif 000008
【図７】
2005509899.tif 000009
【図８】
2005509899.tif 000010
【図９】
2005509899.tif 000011
【図１０】
2005509899.tif 000012
【図１１】
2005509899.tif 000013
【図１２】
2005509899.tif 000014
【図１３】
2005509899.tif 000015
【図１４】
2005509899.tif 000016
【図１５】
2005509899.tif 000017
【図１６】
2005509899.tif 000018
【図１７】
2005509899.tif 000019
【図１８】
2005509899.tif 000020
【国際調査報告】
2005509899.tif 000021
2005509899.tif 000022
2005509899.tif 000023
2005509899.tif 000024
2005509899.tif 000025
2005509899.tif 000026
2005509899.tif 000027